(57)【要約】【課題】特定の使用者のみが使用可能な安全な銃を実現する。【解決手段】使用者が携帯し、使用者の識別コードＣm を発信する発信ユニット１０と、銃に組み込む受信ユニット２０とを組み合わせる。受信ユニット２０は、識別コードＣm を認識すると、ソレノイドＳＬを介して銃を発砲可能にセットし、認識しないと、銃を発砲不能にセットする。【選択図】図１
2007139418.tif 000002
【特許請求の範囲】
【請求項１】
使用者が携帯し、使用者の識別コードを発信する発信ユニットと、銃に組み込み、前記発信ユニットからの識別コードを認識して銃を発砲可能にセットする受信ユニットとを備えてなり、前記発信ユニットは、使用者の身体の一部に密着させる出力プローブを有し、使用者の身体を介して、銃のグリップの表面に露出する前記受信ユニットの受信プローブに識別コードを伝送することを特徴とする銃の発砲制限装置。
【発明の詳細な説明】
【技術分野】
【０００１】
この発明は、特定の使用者のみが使用可能な安全な銃を簡単に実現することができる銃の発砲制限装置に関する。
【背景技術】
【０００２】
銃（ピストル、ライフル、猟銃等のすべての銃を含む、以下同じ）は、その使用を許可された特定の使用者のみが安全に使用するのが原則である。しかしながら、従来の銃は、その入手者が誰れであるかを問わず、自由に発砲することができるようになっている。
【発明の開示】
【発明が解決しようとする課題】
【０００３】
かかる従来技術によるときは、銃は、その入手者が自由に使用可能であるので、思わぬ殺傷事件が発生したり、幼児や少年等による発砲事故が多発したりして、一種の社会問題となっていることは、広く知られているとおりである。
【０００４】
そこで、この発明の目的は、かかる従来技術の問題に鑑み、携帯用の発信ユニットと、銃に組み込む受信ユニットとを組み合わせることによって、特定の使用者のみが発砲可能な安全な銃を簡単に実現することができる銃の発砲制限装置を提供することにある。
【課題を解決するための手段】
【０００５】
かかる目的を達成するためのこの発明の構成は、使用者が携帯し、使用者の識別コードを発信する発信ユニットと、銃に組み込み、発信ユニットからの識別コードを認識して銃を発砲可能にセットする受信ユニットとを備えてなり、発信ユニットは、使用者の身体の一部に密着させる出力プローブを有し、使用者の身体を介して、銃のグリップの表面に露出する受信ユニットの受信プローブに識別コードを伝送することをその要旨とする。
【発明の効果】
【０００６】
かかる発明の構成によるときは、銃に組み込む受信ユニットは、使用者が携帯する発信ユニットからの識別コードを認識して銃を発砲可能にセットする。すなわち、銃は、受信ユニットにより発信ユニットからの正しい識別コードが認識されない限り、発砲することができず、使用者を厳しく限定することができる。なお、発信ユニットから発信し、受信ユニットにより認識する使用者の識別コードは、たとえば銃の登録時において、発信ユニット、受信ユニットの双方に対して正しく設定記憶させるものとする。そこで、この発明によれば、使用者が携帯する発信ユニットと、銃に組み込む受信ユニットとを組み合わせることによって、受信ユニットは、発信ユニットからの識別コードを認識して銃を発砲可能にセットするから、特定の使用者のみが銃を使用することができ、安全な銃を簡単に実現することができる。
【０００７】
発信ユニットは、銃の使用者が携帯するから、受信ユニットに対する識別コードの伝送手段は、電波、磁界等の微弱な無線信号や、ケーブルによる有線信号による他、使用者の身体を介して伝送する電気信号によってもよい。なお、使用者の身体を介して電気信号を伝送させるとき、使用者は、出力プローブを身体の一部に密着させて発信ユニットを携帯し、たとえば銃のグリップの表面に受信ユニットの受信プローブを露出させることにより、発信ユニットは、素手によってグリップを握る銃内の受信ユニットに対し、識別コードを確実に到達させることができる。
【発明を実施するための最良の形態】
【０００８】
以下、図面を以って発明の実施の形態を説明する。
【０００９】
銃の発砲制限装置は、使用者Ｍが携帯する発信ユニット１０と、銃Ｇに組み込む受信ユニット２０とを備えてなる（図１、図２）。
【００１０】
発信ユニット１０は、水晶発振子Ｘを有する送信回路１１に対し、識別コード発生回路１２を接続して構成されている（図１（Ａ））。なお、送信回路１１の出力は、外部の出力プローブＰＢ1 に接続されている。発信ユニット１０は、出力プローブＰＢ1 を身体の一部に密着させるようにして、使用者Ｍが携帯することができる（図２）。
【００１１】
受信ユニット２０は、外部の受信プローブＰＢ2 と、フィルタ２１と、使用者識別回路２２とを縦続する一方（図１（Ｂ））、外部のアンテナＡと、フィルタ２３と、エリア識別回路２４とを縦続し、使用者識別回路２２、エリア識別回路２４の各出力を共通の論理回路２５に接続して構成されている。なお、論理回路２５の出力は、外部のソレノイドＳＬに接続されている。
【００１２】
受信ユニット２０は、電源用のバッテリＢＴ、アンテナＡ、受信プローブＰＢ2 、ソレノイドＳＬとともに銃Ｇに組み込まれている（図３）。ただし、受信プローブＰＢ2 は、銃ＧのグリップＧ1 の表面に露出させて装着されている。
【００１３】
銃Ｇは、トリガＧa 、トリガバーＧb 、シアＧc 、ハンマＧd 、ファイアリングピンＧe からなる一連の発砲機構を有する。なお、トリガバーＧb の後部は、板ばねＧf1を介して上方に駆動され、上向きの突片Ｇb2を円弧状のガイドＧf2に押し付けるとともに、横向きのフックＧb1をハンマＧd に係合させている。また、トリガバーＧb の後端の延長部Ｇb3には、ソレノイドＳＬのフック状のプランジャが下から係合している。
【００１４】
ソレノイドＳＬに通電しないとき、トリガＧa を後方に引くと（図３の矢印Ｋa 方向）、トリガバーＧb が前進し（同図の矢印Ｋb 方向）、ハンマスプリングＧd1に抗してハンマＧd が下向きに回転する（図４（Ａ）の矢印Ｋd 方向）。なお、このとき、シアＧc は、ハンマＧd の爪に係合し、ハンマＧd の戻りを阻止している。トリガＧa を十分に引くと（同図（Ｂ））、トリガバーＧb の後部がガイドＧf2を介して下方に押し下げられ、フックＧb1とハンマＧd との係合が外れ、フックＧb1は、シアＧc の後向きの突部に対応する。
【００１５】
そこで、さらにトリガＧa を引くと、フックＧb1を介してシアＧc が前方に回転し（同図（Ｂ）の矢印Ｋc 方向）、ハンマＧd は、フリーとなり、ハンマスプリングＧd1を介して急激に上方に回転する（同図（Ｃ））。よって、ハンマＧd は、ファイアリングピンＧe の後端を叩き、薬莢Ｇ2 内の火薬に点火して弾丸Ｇ3 が発射される（図３）。
【００１６】
一方、ソレノイドＳＬに通電すると、ソレノイドＳＬを介してトリガバーＧb の後部が下方に引き下げられ（図５の一点鎖線）、トリガバーＧb のフックＧb1とハンマＧd との係合が外れる。そこで、このとき、トリガＧa を引いてトリガバーＧb を前進させても、フックＧb1がハンマＧd を回転させることがなく（同図の二点鎖線）、したがって、ソレノイドＳＬは、銃Ｇを発砲不能にセットすることができる。また、このとき、手動によりハンマＧd を下向きに回転させても、ハンマＧd は、シアＧc によってロックされて上方に回転することがなく、銃Ｇは、発砲不能に維持されている。
【００１７】
発信ユニット１０の識別コード発生回路１２は、使用者Ｍを特定するための識別コードＣm を常時発生している。そこで、送信回路１１は、たとえば識別コードＣm により搬送波をＦＭ変調し、出力プローブＰＢ1 を介して電気信号として外部に送出することができる。
【００１８】
使用者Ｍが銃ＧのグリップＧ1 を握っているとき、発信ユニット１０からの電気信号は、使用者Ｍの身体を介して、すなわち使用者Ｍの身体を伝送媒体として受信ユニット２０の受信プローブＰＢ2 に伝送され、フィルタ２１を介して使用者識別回路２２に到達する。そこで、使用者識別回路２２は、外部から受信する識別コードＣm と、あらかじめ内部に設定記憶されている識別コードＣmoとを対比し、Ｃm ＝Ｃmoを検出して出力信号Ｓ1 を発生することができる。また、使用者識別回路２２は、Ｃm ≠Ｃmoのときや、発信ユニット１０からの電気信号がないとき、出力信号Ｓ1 を発生することがない。
【００１９】
一方、論理回路２５は、出力信号Ｓ1 があるとき、ソレノイドＳＬに通電することがなく、出力信号Ｓ1 がないとき、ソレノイドＳＬに通電する。すなわち、受信ユニット２０は、発信ユニット１０からの識別コードＣm ＝Ｃmoを認識し、ソレノイドＳＬを介して銃Ｇを発砲可能にセットすることにより、発信ユニット１０を携帯する特定の使用者Ｍに対してのみ銃Ｇを使用させることができる。
【００２０】
受信ユニット２０は、アンテナＡを介し、図示しない外部の送信機からの電波を受信すると、フィルタ２３を介し、エリア識別回路２４によってエリアコードを判別する。すなわち、エリア識別回路２４は、外部の送信機からのエリアコードを検出すると、出力信号Ｓ2 を出力し、このときの論理回路２５は、使用者識別回路２２、エリア識別回路２４からの出力信号Ｓ1 、Ｓ2 の有無により、図６の論理表に従ってソレノイドＳＬの通電の要否を決定し、銃Ｇを発砲可能または発砲不能にセットすることができる。
【００２１】
ただし、図６において、出力信号Ｓ1 ＝０、１は、それぞれ使用者識別回路２２による識別コードＣm ≠Ｃmo、Ｃm ＝Ｃmoの認識結果を示し、出力信号Ｓ2 ＝０、１は、それぞれエリア識別回路２４によるエリアコードなし、エリアコードありの認識結果を示す。すなわち、エリア識別回路２４は、外部の送信機からのエリアコードを検出すると、発砲禁止エリアであると認識し、使用者識別回路２２からの出力信号Ｓ1 の有無に拘らず、銃Ｇを発砲不能にセットすることができる。
【００２２】
以上の説明において、ソレノイドＳＬは、トリガバーＧb に係合させるに代えて、ファイアリングピンＧe の凹部Ｇe1に係合させてもよい（図７）。すなわち、ソレノイドＳＬに通電すると、ソレノイドＳＬのプランジャが凹部Ｇe1に係合し、ファイアリングピンＧe を前後動不能にロックして銃Ｇを発砲不能にセットすることができる。
【００２３】
なお、ソレノイドＳＬは、通電によって銃Ｇを発砲不能にセットするに代えて、無通電によって銃Ｇを発砲不能にセットし、通電によって発砲可能にセットしてもよい。また、ソレノイドＳＬは、モータを含む任意のアクチュエータに代えてもよく、銃Ｇの形式により、その発砲機構に最適の切換機構を介し、銃Ｇを発砲不能、発砲可能に切り換えればよい。すなわち、この発明は、あらゆる形式の銃に対し、好適に適用することが可能である。なお、この発明において、発信ユニット１０、受信ユニット２０の各構成要素は、その一部または全部をマイクロコンピュータにより構成することができる。
【図面の簡単な説明】
【００２４】
【図１】全体ブロック系統説明図
【図２】使用状態説明図（１）
【図３】使用状態説明図（２）
【図４】動作説明図（１）
【図５】動作説明図（２）
【図６】動作説明図（３）
【図７】他の実施の形態を示す要部構成図
【符号の説明】
【００２５】
Ｍ…使用者
Ｇ…銃
Ｃm …識別コード
ＰＢ1 …出力プローブ
ＰＢ2 …受信プローブ
１０…発信ユニット
２０…受信ユニット
特許出願人          株式会社  リニア・サーキット
代理人  弁理士                    松  田  忠  秋
【図１】
2007139418.tif 000003
【図２】
2007139418.tif 000004
【図３】
2007139418.tif 000005
【図４】
2007139418.tif 000006
【図５】
2007139418.tif 000007
【図６】
2007139418.tif 000008
【図７】
2007139418.tif 000009